(57)【要約】【課題】所要性能に基づいた無線基地局の置局設計および無線パラメータ設計を少ない演算量で行う。【解決手段】所要性能を満足する無線基地局の置局設計およびパラメータ設計を行う置局支援システムにおいて、無線基地局の置局の算出に必要な置局算出条件、無線基地局のパラメータの算出に必要なパラメータ算出条件、無線性能の評価に必要な無線性能評価条件、置局の評価に必要な置局評価条件を取得し、置局設計およびパラメータ設計を実行する置局支援装置と、無線信号評価情報に応じた無線信号評価結果を出力する無線信号評価部と、置局算出情報に応じた置局算出結果を出力する置局算出部と、パラメータ算出情報に応じたパラメータ算出結果を出力するパラメータ算出部と、無線性能評価情報に応じた無線性能評価結果を出力する無線性能評価部とを備える。【選択図】  図１
2020170928.tif 000002
【特許請求の範囲】
【請求項１】
所要性能を満足する無線基地局の置局設計およびパラメータ設計を行う置局支援方法において、
前記無線基地局の置局の算出に必要な置局算出条件、前記無線基地局のパラメータの算出に必要なパラメータ算出条件、無線性能の評価に必要な無線性能評価条件、置局の評価に必要な置局評価条件を取得するステップ１と、
無線信号評価部に、無線環境の測定に必要な無線信号評価情報を出力して無線信号評価結果を取得するステップ２と、
置局算出部に、前記置局算出条件と前記無線信号評価結果を元に生成した置局算出情報を出力して置局算出結果を取得し、前記置局評価条件に合致する置局算出結果を取りまとめて置局パタンを生成し、前記置局評価条件に合致する置局算出結果が得られない場合は置局算出情報を修正して置局算出結果の取得を繰り返すステップ３と、
パラメータ算出部に、前記置局パタンと前記パラメータ算出条件と前記無線信号評価結果を元に生成したパラメータ算出情報を出力してパラメータ算出結果を取得し、前記パラメータ算出条件に合致するパラメータ算出結果を取りまとめてパラメータパタンを生成し、前記パラメータ算出条件に合致するパラメータ算出結果が得られない場合はパラメータ算出情報を修正してパラメータ算出結果の取得を繰り返すステップ４と、
無線性能評価部に、前記パラメータパタンと前記無線性能評価条件と前記無線信号評価結果を元に生成した無線性能評価情報を出力して無線性能評価結果を取得し、前記無線性能評価条件に合致する無線性能評価結果を取りまとめて無線性能評価パタンを生成し、前記無線性能評価条件に合致する無線性能評価結果が得られない場合は、前記置局算出情報および前記パラメータ算出情報を修正して前記ステップ３に戻るステップ５と、
前記無線性能評価パタンと前記置局評価条件と前記無線信号評価結果と前記置局パタンを元に、前記無線基地局の置局設計およびパラメータ設計に供する置局評価結果を生成するステップ６と
を有することを特徴とする置局支援方法。
【請求項２】
請求項１に記載の置局支援方法において、
前記ステップ４および前記ステップ５では、前記ステップ３で生成した前記置局パタンにおける評価実施優先度に基づいてパラメータ算出および無線性能評価を実施する順番を定め、取得した前記無線性能評価結果に対して判定を行い、要求条件を満たす場合に以後の前記置局パタンに対するパラメータ算出および無線性能評価の実施を打ち切る
ことを特徴とする置局支援方法。
【請求項３】
所要性能を満足する無線基地局の置局設計およびパラメータ設計を行う置局支援システムにおいて、
前記無線基地局の置局の算出に必要な置局算出条件、前記無線基地局のパラメータの算出に必要なパラメータ算出条件、無線性能の評価に必要な無線性能評価条件、置局の評価に必要な置局評価条件を取得し、置局設計およびパラメータ設計を実行する置局支援装置と、
無線信号評価情報に応じた無線信号評価結果を出力する無線信号評価部と、
置局算出情報に応じた置局算出結果を出力する置局算出部と、
パラメータ算出情報に応じたパラメータ算出結果を出力するパラメータ算出部と、
無線性能評価情報に応じた無線性能評価結果を出力する無線性能評価部と
を備え、
前記置局支援装置は、前記無線信号評価情報を生成して前記無線信号評価部に出力し、前記置局算出条件と前記無線信号評価結果を元に前記置局算出情報を生成し、前記置局算出部に出力して得られた前記置局算出結果が前記置局評価条件に合致するものから置局パタンを生成し、該置局パタンと前記パラメータ算出条件と前記無線信号評価結果を元に前記パラメータ算出情報を生成し、前記パラメータ算出部に出力して得られた前記パラメータ算出結果が前記パラメータ算出条件に合致するものからパラメータパタンを生成し、該パラメータパタンと前記無線性能評価条件と前記無線信号評価結果を元に前記無線性能評価情報を生成し、前記無線性能評価部に出力して得られた前記無線性能評価結果が前記無線性能評価条件に合致するものから無線性能評価パタンを生成し、該無線性能評価パタンと前記置局評価条件と前記無線信号評価結果と前記置局パタンを元に前記無線基地局の置局評価結果を生成する構成である
ことを特徴とする置局支援システム。
【請求項４】
請求項３に記載の置局支援システムにおいて、
前記置局支援装置は、前記置局パタンにおける評価実施優先度に基づいてパラメータ算出および無線性能評価を実施する順番を定め、取得した前記無線性能評価結果に対して判定を行い、要求条件を満たす場合に以後の前記置局パタンに対するパラメータ算出および無線性能評価の実施を打ち切る構成である
ことを特徴とする置局支援システム。
【発明の詳細な説明】
【技術分野】
【０００１】
本発明は、所要性能に基づいた無線基地局の置局設計および無線パラメータ設計を行う置局支援方法および置局支援システムに関する。
【背景技術】
【０００２】
近年、スマートフォンやタブレットをはじめとする無線端末の急速な普及に伴い、無線端末による大容量コンテンツの利用者が増加しており、無線ネットワーク上のトラヒック量が急激に増大している。無線トラヒックを低コストかつ手軽に収容するため、無線システム免許不要帯の電波を用いた高速無線アクセスシステムとして広く普及している、非特許文献１に示すＩＥＥＥ８０２．１１無線ＬＡＮ規格が利用されることが多い。家庭、オフィスをはじめとしたプライベートエリアや、店舗、駅、空港をはじめとした公衆エリアなど、様々なエリアにおいて、無線ＬＡＮネットワークが提供されている。
【０００３】
無線ＬＡＮネットワークを構築するにあたっては、無線基地局の施工、パラメータ設定などの無線ＬＡＮ通信部分、無線基地局−スイッチ間やスイッチとバックホール回線間などのネットワーク部分、およびユーザ認証やポータル画面などの上位サービス部分など、様々な要素を考慮して構築する必要がある。それらのうち、本発明では無線基地局の置局および無線パラメータ設定に着目する。
【０００４】
一般に、無線通信では伝搬距離や遮蔽物によって無線信号が減衰すると、無線通信の品質や容量の低下が生じるため、無線基地局と無線端末局との間の距離が短く、また、伝搬経路の見通しが確保できる状態が望ましい。一方で、無線基地局の設置数は機器装置、設置および運用にかかるコスト、さらに無線の電波干渉等により制約されるため、無線ＬＡＮによりカバーするエリアに対し、必要数の無線基地局を適切な場所に設置することが重要となる。また、無線基地局１台で収容可能なトラヒック、ユーザ数に限りがあることから、無線ＬＡＮユーザの増加に伴って、無線基地局が増設されることがあり、この場合においても、増設する無線基地局の置局設計と無線パラメータ設計が重要となる。
【０００５】
また、無線通信では同一の周波数チャネルで異なる通信を同時に行おうとした場合、互いに無線信号が混信しあって、信号をうまく検出できない、通信誤りが生じるなどにより通信を正常に行えなくなることが知られている。そのため、無線基地局の置局設計および無線パラメータ設計が重要となってくる。
【０００６】
さらに、無線基地局の置局設計および無線パラメータ設計を実施した後に、実際にどの程度の無線通信性能が得られているかを把握するため、無線性能評価を行って、想定通りの無線性能が得られているか確認することも重要である。
【先行技術文献】
【非特許文献】
【０００７】
【非特許文献１】IEEE Std 802.11-2016, Dec. 2016.
【発明の概要】
【発明が解決しようとする課題】
【０００８】
無線基地局の置局設計、無線パラメータ最適化、および無線性能評価を行うソフトウェアはそれぞれ存在する。しかし、それらを統合的に利用することができず、例えば置局パタンを複数用意し、それらに対してそれぞれ無線パラメータ最適化を行う。また、無線性能評価を行うためには、利用者が手動で各ソフトウェアを利用して複数パタンを生成し、無線パラメータ最適化を適用して、無線性能評価を行う必要があり、多くの手間と演算量が必要となっていた。
【０００９】
本発明は、所要性能に基づいた無線基地局の置局設計および無線パラメータ設計を少ない演算量で行うことができる置局支援方法および置局支援システムを提供することを目的とする。
【課題を解決するための手段】
【００１０】
第１の発明は、所要性能を満足する無線基地局の置局設計およびパラメータ設計を行う置局支援方法において、無線基地局の置局の算出に必要な置局算出条件、無線基地局のパラメータの算出に必要なパラメータ算出条件、無線性能の評価に必要な無線性能評価条件、置局の評価に必要な置局評価条件を取得するステップ１と、無線信号評価部に、無線環境の測定に必要な無線信号評価情報を出力して無線信号評価結果を取得するステップ２と、置局算出部に、置局算出条件と無線信号評価結果を元に生成した置局算出情報を出力して置局算出結果を取得し、置局評価条件に合致する置局算出結果を取りまとめて置局パタンを生成し、置局評価条件に合致する置局算出結果が得られない場合は置局算出情報を修正して置局算出結果の取得を繰り返すステップ３と、パラメータ算出部に、置局パタンとパラメータ算出条件と無線信号評価結果を元に生成したパラメータ算出情報を出力してパラメータ算出結果を取得し、パラメータ算出条件に合致するパラメータ算出結果を取りまとめてパラメータパタンを生成し、パラメータ算出条件に合致するパラメータ算出結果が得られない場合はパラメータ算出情報を修正してパラメータ算出結果の取得を繰り返すステップ４と、無線性能評価部に、パラメータパタンと無線性能評価条件と無線信号評価結果を元に生成した無線性能評価情報を出力して無線性能評価結果を取得し、無線性能評価条件に合致する無線性能評価結果を取りまとめて無線性能評価パタンを生成し、無線性能評価条件に合致する無線性能評価結果が得られない場合は、置局算出情報およびパラメータ算出情報を修正してステップ３に戻るステップ５と、無線性能評価パタンと置局評価条件と無線信号評価結果と置局パタンを元に、無線基地局の置局設計およびパラメータ設計に供する置局評価結果を生成するステップ６とを有する。
【００１１】
第１の発明の置局支援方法において、ステップ４およびステップ５では、ステップ３で生成した置局パタンにおける評価実施優先度に基づいてパラメータ算出および無線性能評価を実施する順番を定め、取得した無線性能評価結果に対して判定を行い、要求条件を満たす場合に以後の置局パタンに対するパラメータ算出および無線性能評価の実施を打ち切る。
【００１２】
第２の発明は、所要性能を満足する無線基地局の置局設計およびパラメータ設計を行う置局支援システムにおいて、無線基地局の置局の算出に必要な置局算出条件、無線基地局のパラメータの算出に必要なパラメータ算出条件、無線性能の評価に必要な無線性能評価条件、置局の評価に必要な置局評価条件を取得し、置局設計およびパラメータ設計を実行する置局支援装置と、無線信号評価情報に応じた無線信号評価結果を出力する無線信号評価部と、置局算出情報に応じた置局算出結果を出力する置局算出部と、パラメータ算出情報に応じたパラメータ算出結果を出力するパラメータ算出部と、無線性能評価情報に応じた無線性能評価結果を出力する無線性能評価部とを備え、置局支援装置は、無線信号評価情報を生成して無線信号評価部に出力し、置局算出条件と無線信号評価結果を元に置局算出情報を生成し、置局算出部に出力して得られた置局算出結果が置局評価条件に合致するものから置局パタンを生成し、該置局パタンとパラメータ算出条件と無線信号評価結果を元にパラメータ算出情報を生成し、パラメータ算出部に出力して得られたパラメータ算出結果がパラメータ算出条件に合致するものからパラメータパタンを生成し、該パラメータパタンと無線性能評価条件と無線信号評価結果を元に無線性能評価情報を生成し、無線性能評価部に出力して得られた無線性能評価結果が無線性能評価条件に合致するものから無線性能評価パタンを生成し、該無線性能評価パタンと置局評価条件と無線信号評価結果と置局パタンを元に無線基地局の置局評価結果を生成する構成である。
【００１３】
第２の発明の置局支援システムにおいて、置局支援装置は、置局パタンにおける評価実施優先度に基づいてパラメータ算出および無線性能評価を実施する順番を定め、取得した無線性能評価結果に対して判定を行い、要求条件を満たす場合に以後の置局パタンに対するパラメータ算出および無線性能評価の実施を打ち切る構成である。
【発明の効果】
【００１４】
本発明によれば、置局支援装置が、ユーザ、無線信号評価部、置局算出部、パラメータ算出部、無線性能評価部とやり取りを行う共通インタフェースを持ち、それらと情報をやり取りすることで、ユーザが統合的に各部を利用することが可能となる。また、無線基地局の置局パタンを複数生成し、それらに対して優先度評価を行った上で、パラメータ算出および無線性能評価を行うことで、所要性能を満たす置局パタンを少ない演算量で導出することが可能となる。
【図面の簡単な説明】
【００１５】
【図１】本発明における置局支援システムの構成例を示す図である。
【図２】置局支援装置１０の処理シーケンスを示す図である。
【図３】置局算出条件の例を示す図である。
【図４】パラメータ算出条件の例を示す図である。
【図５】無線性能評価条件の例を示す図である。
【図６】置局評価条件の例を示す図である。
【図７】無線信号評価結果の例を示す図である。
【図８】置局パタンの例を示す図である。
【図９】パラメータパタンの例を示す図である。
【図１０】無線性能評価パタンの例を示す図である。
【図１１】置局評価結果の例を示す図である。
【図１２】置局支援装置１０の処理手順例を示すフローチャートである。
【図１３】置局パタンに対する評価実施優先度の設定処理手順例を示すフローチャートである。
【発明を実施するための形態】
【００１６】
図１は、本発明における置局支援システムの構成例を示す。
図１において、置局支援システムは、置局支援装置１０、無線信号評価部２０、置局算出部３０、パラメータ算出部４０、無線性能評価部５０により構成される。それらはソフトウェアで構成されてもよい。置局支援装置１０は、ユーザインタフェース部１１、情報処理部１２、情報記憶部１３、共通インタフェース部１４を備える。
【００１７】
ここで、置局支援装置１０の処理シーケンスを示す図２を参照して説明する。
ユーザインタフェース部１１は、ユーザが設定する置局算出条件、パラメータ算出条件、無線性能評価条件、置局評価条件を入力して情報処理部１２へ出力し、情報処理部１２が処理した置局評価結果をユーザへ出力する。
【００１８】
情報処理部１２は、情報生成機能、情報入出力機能、情報記録読出機能の３つの機能を持つ。情報生成機能は、無線信号評価部２０へ出力する無線信号評価情報を生成し、ユーザが設定した置局算出条件と無線信号評価部２０から取得した無線信号評価結果を元に置局算出情報を生成する。また、置局算出部３０から取得した置局算出結果を元に置局パタンを生成する。また、この置局パタンと、ユーザが設定したパラメータ算出条件からパラメータ算出部４０へ出力するパラメータ算出情報を生成する。また、パラメータ算出部４０から取得したパラメータ算出結果を元にパラメータパタンを生成する。また、このパラメータパタンと、ユーザが設定した無線性能評価条件を元に無線性能評価部５０へ出力する無線性能評価情報を生成する。また、無線性能評価部５０から取得した無線性能評価結果と、ユーザが設定した置局評価条件と、置局パタンを元に置局評価結果を生成する。
【００１９】
情報入出力機能では、ユーザインタフェース部１１を介してユーザが設定する置局算出条件および置局評価条件を取得する。また、共通インタフェース部１４を介して、無線信号評価部２０へ無線信号評価情報を出力して無線信号評価結果を取得し、置局算出部３０へ置局算出情報を出力して置局算出結果を取得し、パラメータ算出部４０へパラメータ算出情報を出力してパラメータ算出結果を取得し、無線性能評価部５０へ無線性能評価情報を出力して無線性能評価結果を取得する。また、ユーザインタフェース部１１を介して、ユーザへ置局算出結果および置局評価結果を出力する。
【００２０】
情報記録読出機能では、情報記憶部１３へ情報を記録し、情報記憶部１３から情報を読み出す。
情報記憶部１３は、情報処理部１２から入力する情報を記録し、情報処理部１２からの指示に基づいて記録した情報を出力する。
【００２１】
共通インタフェース部１４は、情報処理部１２と無線信号評価部２０〜無線性能評価部５０との間で情報を互いにやり取りするため、情報フォーマットなどの相互変換を行う。
【００２２】
無線信号評価部２０は、共通インタフェース部１４を介して、情報処理部１２に対して無線信号評価情報に応じた無線信号評価結果を出力する。なお、無線信号評価部２０では、無線信号を実測して無線信号評価結果を取得してもよいし、伝搬シミュレーションなどから取得してもよい。置局算出部３０は、共通インタフェース部１４を介して、情報処理部１２に対して置局算出情報に応じた置局算出結果を出力する。パラメータ算出部４０は、共通インタフェース部１４を介して、情報処理部１２に対してパラメータ算出情報に応じたパラメータ算出結果を出力する。無線性能評価部５０は、共通インタフェース部１４を介して、情報処理部１２に対して無線性能評価情報に応じた無線性能評価結果を出力する。
【００２３】
ここで、各用語について説明する。
置局算出条件の例を図３に示す。図３に示す通り、置局算出条件には置局の算出にあたっての条件となる情報が含まれ、置局条件番号と、置局算出条件として置局算出方法（置局を算出するためのアルゴリズムなど）、置局数などが含まれる。図３に示すように、複数の置局算出条件をユーザが設定することで、複数の置局の算出、置局評価を行うことができる。
【００２４】
パラメータ算出条件の例を図４に示す。図４に示す通り、パラメータ算出条件にはパラメータの算出にあたっての条件となる情報が含まれ、パラメータ算出条件番号と、パラメータ算出条件としてパラメータ算出方法、利用可能チャネル、最大帯域幅などが含まれる。図４に示すように、複数のパラメータ算出条件をユーザが設定することで、複数のパラメータ算出条件を用いて置局評価を行うことができる。
【００２５】
無線性能評価条件の例を図５に示す。図５に示す通り、無線性能評価条件には、無線性能の評価にあたっての条件となる情報が含まれ、無線性能評価条件番号と、無線性能評価条件としてトラヒック、基地局あたりユーザ数、評価時間などが含まれる。図５に示すように、複数の無線性能評価条件をユーザが設定することで、複数の無線性能評価条件を用いて置局評価を行うことができる。
【００２６】
置局評価条件の例を図６に示す。図６に示す通り、置局評価条件には、置局算出結果に対する評価条件の情報が含まれ、置局評価条件番号と、置局評価条件としてスループット、受信電力、カバー率などが含まれる。図６に示すように、複数の置局評価条件をユーザが設定することで、複数の評価条件を用いた置局評価を行うことができる。
【００２７】
無線信号評価情報は、無線信号評価条件となる情報が含まれ、無線信号評価部２０に対して無線信号評価結果を出力するように指示する信号である。
【００２８】
無線信号評価結果の例を図７に示す。図７に示す通り、無線信号評価情報である測定地点番号、測定日時、測定座標に対して、無線信号評価結果（ＢＳＳＩＤ、チャネル、帯域幅および受信電力値など）がある。
【００２９】
置局算出情報は、無線信号評価部２０から取得した無線信号評価結果と、ユーザが設定した置局算出条件を組み合わせ、置局算出部３０に対して置局算出計算を実施させるための入力情報として生成したものである。
【００３０】
置局パタンの例を図８に示す。図８に示す通り、置局パタンは、各置局パタン番号に対してそれぞれ置局算出結果を置局算出部３０から取得し、それらを情報処理部１２でまとめ、評価実施優先度情報を付加したものであり、置局パタン番号、評価実施優先度、置局算出結果として置局条件番号、置局数、置局座標などが含まれる。
【００３１】
パラメータ算出情報は、ユーザが設定したパラメータ算出条件、置局パタン、および無線信号評価部２０より取得した無線信号評価結果を組み合わせ、パラメータ算出部４０に対してパラメータを算出させるための入力情報として生成したものである。
【００３２】
パラメータパタンの例を図９に示す。図９に示す通り、パラメータパタンは、置局パタン番号に対してそれぞれパラメータ算出部４０からパラメータ算出結果を取得し、それらを情報処理部１２でまとめたものであり、置局パタン番号と、パラメータ算出結果として無線基地局番号、 2.4ＧHz帯算出結果（チャネル、帯域幅、送信出力など）、５ＧHz帯算出結果（チャネル、帯域幅、送信出力など）などが含まれる。
【００３３】
無線性能評価情報は、ユーザが設定した無線性能評価条件、パラメータパタン、および無線信号評価部２０より取得した無線信号評価結果を組み合わせ、無線性能評価部５０に対して無線性能を評価させるための入力情報として生成したものである。
【００３４】
無線性能評価パタンの例を図１０に示す。図１０に示す通り、無線性能評価パタンは、置局パタン番号に対してそれぞれ無線性能評価部５０から無線性能評価結果を取得し、それらを情報処理部１２でまとめたものであり、置局パタン番号と、無線性能評価結果として無線基地局番号、上りスループット、下りスループット、ＲＴＴ（Round Trip Time ）などが含まれる。
【００３５】
置局評価結果の例を図１１に示す。図１１に示す通り、置局評価結果は、ユーザが設定した置局評価条件に基づいて、置局パタン、無線信号評価結果、無線性能評価パタンに対して評価した結果を情報処理部１２でまとめたものであり、置局パタン番号、置局推奨順、エリアカバー結果（判定結果、評価結果など）、スループット結果（判定結果、評価結果など）などが含まれる。
【００３６】
図１２は、置局支援装置１０の処理手順例を示す。
図１２において、まずユーザより置局算出条件、パラメータ算出条件、無線性能評価条件、置局評価条件を取得して記録する（ステップＳ１）。
【００３７】
次に、無線信号評価部２０に対して無線信号評価情報を出力し、無線信号評価結果を取得して記録する（ステップＳ２）。
【００３８】
次に、置局算出条件、無線信号評価結果を元に置局算出情報を生成し、置局算出部３０に出力して置局算出結果を取得する（ステップＳ３）。
【００３９】
次に、置局評価条件に合致する置局算出結果が１つ以上存在するかどうかを判定し（ステップＳ４）、存在する場合（ステップＳ４のＹｅｓ）は、合致する置局算出結果を取りまとめて置局パタンを生成し記録する（ステップＳ５）。なお、ステップＳ５では置局パタンにおける評価実施優先度を設定することができる（詳細は後述）。また、ステップＳ４の判定で合致するものが存在しない場合（ステップＳ４のＮｏ）は、置局算出情報の修正を行って（ステップＳ６）、ステップＳ３へ戻る。
【００４０】
なお、置局評価条件には、置局算出結果に対する評価条件となる情報が含まれ、例えば、各無線基地局間の距離、各無線基地局のカバーエリアの大きさ、およびエリア内の想定受信電力などが含まれる。
【００４１】
また、置局算出情報の修正としては、例えば置局算出方法の変更や、置局数の増加などがある。例えば、置局数が少ないために置局評価条件に合致しない場合には、置局数を増やすことによりカバーエリアが広がり、置局評価条件に合致する置局算出結果が得られやすくなる。
【００４２】
次に、置局パタン、パラメータ算出条件、無線信号評価結果を元にパラメータ算出情報を生成し、パラメータ算出部４０へ出力してパラメータ算出結果を取得する（ステップＳ７）。
【００４３】
次に、パラメータ算出条件に合致するパラメータ算出結果が１つ以上存在するかどうかを判定し（ステップＳ８）、存在する場合（ステップＳ８のＹｅｓ）は、合致するパラメータ算出結果を取りまとめてパラメータパタンを生成し記録する（ステップＳ９）。また、ステップＳ８の判定で合致するものが存在しない場合（ステップＳ８のＮｏ）は、パラメータ算出情報の修正を行って（ステップＳ１０）、ステップＳ７へ戻る。
【００４４】
なお、パラメータ算出条件には、パラメータ算出結果に対する評価条件となる情報が含まれ、例えば、送信出力の値や帯域幅の値などが含まれる。
【００４５】
また、パラメータ算出情報の修正としては、パラメータ算出方法の変更や、利用可能チャネル数の増加や、最大帯域幅の変更などが挙げられる。例えば、利用可能チャネル数が少ないために干渉が避けられない場合には、利用可能チャネル数を増やすことにより、パラメータ算出条件に合致するパラメータ算出結果が得られやすくなる。
【００４６】
次に、パラメータパタン、無線性能評価条件、無線信号評価結果を元に無線性能評価情報を生成し、無線性能評価部５０へ出力して無線性能評価結果を取得する（ステップＳ１１）。
【００４７】
次に、無線性能評価条件に合致する無線性能評価結果が１つ以上存在するかどうかを判定し（ステップＳ１２）、存在する場合（ステップＳ１２のＹｅｓ）は、合致する無線性能評価結果を取りまとめて無線性能評価パタンを生成し記録する（ステップＳ１３）。また、ステップＳ１２の判定で合致するものが存在しない場合（ステップＳ１２のＮｏ）は、置局算出情報およびパラメータ算出情報の修正を行い（ステップＳ１４）、ステップＳ３へ戻る。
【００４８】
なお、無線性能評価条件には、無線性能評価結果に対する評価条件となる情報が含まれ、上りスループット、下りスループット、ＲＴＴ、エリアカバー結果などが含まれる。
【００４９】
また、ステップＳ１４における置局算出情報およびパラメータ算出情報の修正は、それぞれステップＳ６、ステップＳ１０での処理と同様である。
【００５０】
ここで、ステップＳ７でパラメータを最適化して無線容量を高めたにも関わらず、ステップＳ１２で無線性能評価結果が無線性能評価条件に合致しない場合は、ステップＳ３の置局に問題がある可能性が高いことが考えられる。したがって、ステップＳ１４では、パラメータ算出情報を修正してステップＳ７に戻るよりも、置局算出情報を修正してステップＳ３に戻って無線容量を大きくし、再度ステップＳ７の処理を行うことが効果的である。
【００５１】
なお、ステップＳ７およびステップＳ１１では、ステップＳ５で生成した置局パタンにおける評価実施優先度に基づいて無線性能評価を実施する順番を定めた上で、取得したパラメータ算出結果および無線性能評価結果に対して判定を行い、要求条件を満たす場合に以後の置局パタンに対する無線性能評価の実施を打ち切る、すなわちステップＳ１２で早い段階で無線性能評価結果が無線性能評価条件に合致させることで、無線性能評価に要する処理時間を削減することができる。
【００５２】
要求条件としては、無線性能評価結果や置局評価結果に含まれる項目に対して、１つまたは複数の所要値を定めることができ、例えば上りスループット、下りスループット、ＲＴＴ、エリアカバー結果などを設定することができる。
【００５３】
次に、置局支援装置１０は、無線性能評価パタン、置局評価条件、無線信号評価結果、置局パタンを元に置局評価結果を生成して記録し、ユーザ２へ出力する（ステップＳ１５）。
【００５４】
図１３は、置局パタンに対する評価実施優先度の設定処理手順例を示す。なお、本設定フローは、図１２で示した置局処理フローにおけるステップＳ５の置局パタンにおける評価実施優先度設定の詳細説明である。
【００５５】
まず、置局支援装置１０は、全ての置局パタンを未判定に設定する（ステップＳ４１）。
次に、未判定の置局パタンが存在するかどうかを判定し（ステップＳ４２）、存在する場合（ステップＳ４２のＹｅｓ）は、未判定の置局パタンのうち１つを選択して判定済みとし、選択した置局パタンに対して評価スコアを算出する（ステップＳ４３）。未判定の置局パタンが存在しない場合（ステップＳ４２のＮｏ）は、置局パタンの各パタンに対してそれぞれ算出した評価スコア順に、評価実施の優先度を付与し（ステップＳ４４）、処理を終了する。
【００５６】
なお、評価スコアの算出方法であるが、置局数がなるべく少ない、エリア内の測定点における合計ＲＳＳＩ値（真値での和）が高い、無線基地局間の距離の合計が短い、などの基準を用い、それらを組み合わせて算出することができる。
【００５７】
以上、図面を参照して本発明の置局支援システムについて説明した。従来技術では個々のソフトウェアを利用する必要があり、多くの手間と演算量が必要だったのに対し、説明した置局支援装置１０では、ユーザおよび各処理部向けのインタフェースを持ち、ユーザは置局高度化マネージャを利用することで、設置条件に基づいた複数の置局パタン算出、各置局パタンに対するパラメータ最適化、各パラメータ最適化結果に基づくスループット評価等の置局作業を統合的に実施することができ、所要性能を満たす置局を少ない手間で行うことができる。また、置局パタンに対して優先度を付与し、優先度の高い順に処理を進めながら、要件を満たす結果が得られたら演算処理を終了することで、演算時間を削減できる。
【００５８】
また、置局支援装置１０が持つユーザインタフェースおよび各処理部に対する共通インタフェースにそれぞれ対応していれば、これまでに挙げた処理部（ソフトウェア）に限らず、他の処理部（ソフトウェア）や統合ソフトウェアと連携して動作することが可能であり、置局を柔軟に実施することができる。
【符号の説明】
【００５９】
１０  置局支援装置
１１  ユーザインタフェース部
１２  情報処理部
１３  情報記憶部
１４  共通インタフェース部
２０  無線信号評価部
３０  置局算出部
４０  パラメータ算出部
５０  無線性能評価部
【図１】
2020170928.tif 000003
【図２】
2020170928.tif 000004
【図３】
2020170928.tif 000005
【図４】
2020170928.tif 000006
【図５】
2020170928.tif 000007
【図６】
2020170928.tif 000008
【図７】
2020170928.tif 000009
【図８】
2020170928.tif 000010
【図９】
2020170928.tif 000011
【図１０】
2020170928.tif 000012
【図１１】
2020170928.tif 000013
【図１２】
2020170928.tif 000014
【図１３】
2020170928.tif 000015